(57)【特許請求の範囲】
【請求項１】
隣接する両パネルの間に支柱が配置され、前記両パネルは前記支柱に向かって延出した延出部を有する一方、前記支柱は前記両パネルの前記延出部が挿入された挿入孔を有し、
前記支柱に隣接する前記パネルに、前記パネルの前記延出部を前記支柱の前記挿入孔に挿入した状態で前記支柱に沿って延在する延在部を設けるとともに、この延在部を前記支柱に押さえつける押圧部を前記支柱に取り付けたことを特徴とする支柱構造。
【請求項２】
隣接する両パネルの間に支柱が配置され、前記両パネルは前記支柱に向かって延出した延出部を有する一方、前記支柱は前記両パネルの前記延出部が挿入された挿入孔を有し、
前記支柱に隣接する前記両パネルの一方のパネルに、このパネルの前記延出部を前記支柱の前記挿入孔に挿入した状態で前記支柱に沿って延在する延在部を設けるとともに、この延在部を前記支柱に押さえつける押圧部を前記支柱に着脱可能に取り付け、他方のパネルの前記延出部を前記支柱の挿入孔に挿入した状態で接着させたことを特徴とする支柱構造。
【請求項３】
前記押圧部は、その中間部が前記支柱に支持され、前記押圧部の一端部の内側を前記延在部に当接させるとともに、前記押圧部の他端部が前記支柱に付勢部材で取り付けられ、この付勢部材により前記一端部が前記延在部を前記支柱に押さえつける一方、前記他端部を前記支柱に向かって押すことにより前記中間部を支点として前記一端部が前記延在部から外れるように設定したことを特徴とする請求項１又は２記載の支柱構造。
【請求項４】
前記支柱が木製であることを特徴とする請求項１、２、又は３記載の支柱構造。
【請求項５】
請求項１から４のいずれか１項に記載の支柱構造を用いたことを特徴とするストーブガード。
【請求項６】
請求項１から４のいずれか１項に記載の支柱構造を用いたことを特徴とする花台。
【発明の詳細な説明】
【０００１】
【発明の属する技術分野】
本発明は、例えばストーブガードや花台に用いられる支柱構造に関する。
【０００２】
【従来の技術】
従来、一般家庭においてストーブを使用する際には、ストーブに身体が不用意に触れるのを防止するためにストーブの周囲にストーブガードを配置している。ストーブガードは、ストーブを包囲する複数のパネルを中心に構成されている。各パネルは一般的に格子状であって、隣接する両パネルの外枠の上部が金具で止められて各パネルが連結されている。また、各パネルは、その外枠の両側から下方へ延出した脚部を有しており、隣接する両パネルの脚部の下端にはキャップが取り付られ、設置面が傷つくのを防止している。
【０００３】
また、花を飾るために使用される花台は、一般的に、左右側面パネルと、両側面パネルに金具で連結された後面パネルと、両側面パネルに架設して花瓶や植木鉢を載置する棚板とから構成されている。各パネルは格子状であり、前記ストーブガードの場合と同様に、外枠の両側から下方へ延出した脚部を有している。
【０００４】
【発明が解決しようとする課題】
しかしながら、前述したようなストーブガードや花台においては、隣接する両パネルの外枠の一部である脚部が支柱となっていることから、各パネルは設置状態における安定性が良くない。このため、例えば子供がパネルにつかまって少し力をいれると、ぐらついたり動いたりしてしまうので、ストーブガードの場合には火傷をするおそれがあり、花台の場合には花瓶や植木が落下して怪我をするおそれがあった。
【０００５】
本発明は、かかる従来の課題に鑑みてなされたものであり、パネルの設置状態における安定性を向上させることができる支柱構造及びこれを用いたストーブガード、花台を提供することを目的とする。
【０００６】
【課題を解決するための手段】
前記課題を解決するために本発明の請求項１記載の支柱構造においては、隣接する両パネルの間に支柱が配置され、前記両パネルは前記支柱に向かって延出した延出部を有する一方、前記支柱は前記両パネルの前記延出部が挿入された挿入孔を有し、
前記支柱に隣接する前記パネルに、前記パネルの前記延出部を前記支柱の前記挿入孔に挿入した状態で前記支柱に沿って延在する延在部を設けるとともに、この延在部を前記支柱に押さえつける押圧部を前記支柱に取り付けたことを特徴とする。
【０００７】
かかる構成においては、支柱の挿入孔に隣接する両パネルの延出部が挿入されることにより、両パネルは支柱によって連結された状態となるため、各パネルがぐらついたり動いたりするのを抑えることができる。
また、押圧部によりパネルが支柱に押さえつけられた状態になるため、パネルを支柱に固定させることができる。
【００１２】
また、請求項２記載の支柱構造においては、隣接する両パネルの間に支柱が配置され、前記両パネルは前記支柱に向かって延出した延出部を有する一方、前記支柱は前記両パネルの前記延出部が挿入された挿入孔を有し、前記支柱に隣接する前記両パネルの一方のパネルに、このパネルの前記延出部を前記支柱の前記挿入孔に挿入した状態で前記支柱に沿って延在する延在部を設けるとともに、この延在部を前記支柱に押さえつける押圧部を前記支柱に着脱可能に取り付け、他方のパネルの前記延出部を前記支柱の挿入孔に挿入した状態で接着させたことを特徴とする。
【００１３】
かかる構成においては、支柱に隣接する両パネルの内、他方のパネルが支柱に固定された状態になるため、押圧部を容易に着脱することができる。
【００１４】
また、請求項３記載の支柱構造においては、前記押圧部は、その中間部が前記支柱に支持され、前記押圧部の一端部の内側を前記延在部に当接させるとともに、前記押圧部の他端部が前記支柱に付勢部材で取り付けられ、この付勢部材により前記一端部が前記延在部を前記支柱に押さえつける一方、前記他端部を前記支柱に向かって押すことにより前記中間部を支点として前記一端部が前記延在部から外れるように設定したものとしている。
【００１５】
かかる構成において、支柱からパネルを取り外す際には、押圧部の他端部を支柱に向かって押すだけで押圧部の一端部が延在部から外れるので、支柱の挿入孔からパネルの延出部を抜く作業が容易になる。
また、請求項４記載の支柱構造においては、前記支柱が木製であるものとしている。
かかる構成においては、支柱が隣接する両パネルを連結させる連結部材であって木製であるため、連結部材が金属製である場合に比べて、木材特有の暖かいイメージを周囲に与えることができる。
【００１６】
また、請求項５記載のストーブガードにおいては、請求項１から４のいずれか１項に記載の支柱構造を用いたものとしている。
【００１７】
かかる構成においては、請求項１から４の各請求項の作用が得られる。
【００１８】
また、請求項６記載の花台においては、請求項１から４のいずれか１項に記載の支柱構造を用いたものとしている。
【００１９】
かかる構成においても、請求項５記載のストーブガードと同様に、請求項１から４の各請求項の作用が得られる。
【００２０】
【発明の実施の形態】
以下、本発明の一実施の形態を図にしたがって説明する。
【００２１】
図１は、本発明の第１の実施の形態を示すストーブガード１の斜視図である。このストーブガード１はストーブ２の周囲に配置され、ストーブ２を包囲する四角形状のストーブガード本体３を中心にして構成されている。このストーブガード本体３は、ストーブ２を包囲する複数のパネル４〜７と、隣接する両パネルの間にそれぞれ配置され、ストーブガード本体３の四隅を構成している複数の支柱８〜１１とを備えている。
【００２２】
各パネル４〜７は鉄製であって、具体的にはストーブガード本体３の前面を形成する前面パネル４と、ストーブガード本体３の右側面を形成する右側面パネル５と、ストーブガード本体３の左側面を形成する左側面パネル６と、ストーブガード本体３の後面を形成する後面パネル７となっている。
【００２３】
一方、各支柱８〜１１は木製であって、具体的には前面パネル４と右側面パネル５との間に配置された第一の支柱８と、前面パネル４と左側面パネル６との間に配置された第二の支柱９と、右側面パネル５と後面パネル７との間に配置された第三の支柱１０と、左側面パネル６と後面パネル７との間に配置された第四の支柱１１となっている。
【００２４】
そして、ストーブガード本体３の両側面パネル５、６には、載置部１２ａにストーブ２を載せることにより、その重みでストーブガード本体３を設置場所に固定させる固定具１２、１２が架設されている。
【００２５】
前記各パネル４〜７は、図２〜図５に示すように、外枠５１を中心にして構成されている。この外枠５１は、下方へ開口したコ字状であって、左右方向に延在する上側部５２と、上側部５２の両端から下方に延出し、本発明の延在部である右側部５３と左側部５４とから構成されている。
【００２６】
各外枠５１の両側部５３、５４の上部、中部および下端には、棒状の上部横桟部５５、中部横桟部５６、下端横桟部５７が架設されている。上部横桟部５５は、右端部５５ａと左端部５５ｂが隣接する支柱に向かって延出している。また、下端横桟部５７も、右端部５７ａと左端部５７ｂが隣接する支柱に向かって延出している。このため、上部横桟部５５の両端部５５ａ、５５ｂおよび下端横桟部５７の両端部５７ａ、５７ｂが本発明の延出部となっている。
【００２７】
また、各外枠５１には、上側部５２と下端横桟部５７とに、複数の縦桟部５８が左右方向に離間して架設されている。このため、縦桟部５８と横桟部５５〜５７とによって各パネル４〜７が格子状となっており、ストーブ２からの熱をストーブガード１の外側に通過させるようになっている。
【００２８】
また、前面パネル４の中央部において、中部横桟部５６と下端横桟部５７との間にはストーブ操作用開口部５９が形成されており、この操作用開口部５９は、前面パネル４に昇降自在に取り付けられた扉６０により開閉可能となっている。
【００２９】
一方、各支柱８〜１１は、図１に示すように外面６１が曲面であって、内面６２が多角面である略四分円柱状であり、内面６２は、第一の支柱８を例として図６に示すように、中央面６３と右側面６４と左側面６５とから構成されている。
【００３０】
そして、第一の支柱８の上部において、右側面６４には上部右側挿入孔６６が形成されており、左側面６５には上部左側挿入孔６７が上部右側挿入孔６６と並列して形成されている。
【００３１】
両挿入孔６６、６７は、図７（図２のＡ−Ａ線に沿う断面図）に示すように、両挿入孔６６、６７間の角度が直角になるように形成されており、上部右側挿入孔６６には前面パネル４の上部横桟部５５の右端部５５ａが挿入され、上部左側挿入孔６７には右側面パネル５の上部横桟部５５の左端部５５ｂがそれぞれ挿入されている。
【００３２】
さらに、図６に示すように、第一の支柱８の下部において、右側面６４には下部右側挿入孔６８が形成されており、左側面６５には下部左側挿入孔６９が下部右側挿入孔６８と並列して形成されている。
【００３３】
両挿入孔６８、６９は図８（図２のＢ−Ｂ線に沿う断面図）に示すように、両挿入孔６８、６９間の角度が直角になるように形成されており、下部右側挿入孔６８には前面パネル４の下端横桟部５７の右端部５７ａが挿入され、下部左側挿入孔６９には右側面パネル５の下端横桟部５７の左端部５７ｂがそれぞれ挿入されている。
【００３４】
また、図７と図８に示すように、第一の支柱８の上部右側挿入孔６６と下部右側挿入孔６８とに、前面パネル４の上部横桟部５５の右端部５５ａと下端横桟部５７の右端部５７ａとがそれぞれ挿入された状態では、前面パネル４の右側部５３が第一の支柱８の右側面６４に沿って延在した状態となっている。
【００３５】
また、第一の支柱８の上部左側挿入孔６７と下部左側挿入孔６９とに、右側面パネル５の上部横桟部５５の左端部５５ｂと下端横桟部５７の左端部５７ｂとがそれぞれ挿入された状態では、右側面パネル５の左側部５４が第一の支柱８の左側面６５に沿って延在した状態となっている。
【００３６】
また、図６において、第一の支柱８の中央面６３には、上部両側挿入孔６６、６７のすぐ下部と、下部両側挿入孔６８、６９のすぐ上部とに、凹部７０，７０がそれぞれ形成されており、各凹部７０にはねじ穴７１が形成されている。
【００３７】
そして、各凹部７０には、図２や図９（図２のＣ−Ｃ線に沿う断面図）に示すように押圧部８１が取り付けられている。この押圧部８１は、図９に示すように両端部８２，８２が湾曲した形状であって、その内側８３，８３を、前面パネル４の右側部５３および右側面パネル５の左側部５４に当接させている。
【００３８】
そして、押圧部８１の中央部８４には、ねじ穴７１と直径が同じであって中心が一致するように貫通孔８５が形成されており、この貫通孔８５にねじ９１を挿入してねじ穴７１にはめ込むことによって、押圧部８１を第一の支柱８に着脱可能に取り付けている。この結果、押圧部８１を第一の支柱８に取り付けた状態では、押圧部８１の両端部８２，８２が、前面パネル４の右側部５３と右側面パネル５の左側部５４とを第一の支柱８に押さえつけた状態となっている。
【００３９】
以上、図７〜図９で説明したような構成によって、第一の支柱８には前面パネル４の右端と右側面パネル５の左端が取り付けられている。
【００４０】
また、第二の支柱９〜第四の支柱１１についても図７〜図９に示す構成と同様であり、第二の支柱９の場合には、図２に示すように上部左側挿入孔６７と下部左側挿入孔６９とに、前面パネル４の上部横桟部５５の左端部５５ｂと下端横桟部５７の左端部５７ｂとがそれぞれ挿入されている。
【００４１】
さらに、図４に示すように第二の支柱９の上部右側挿入孔６６と下部右側挿入孔６８とには、左側面パネル６の上部横桟部５５の右端部５５ａと下端横桟部５７の右端部５７ａとがそれぞれ挿入されている。
【００４２】
そして、図２と図４に示すように、第二の支柱９には前面パネル４の左側部５４と左側面パネル６の右側部５３とを第二の支柱９に押さえつける押圧部８１、８１が上下に取り付けられており、以上の構成によって、第二の支柱９には前面パネル４の左端と左側面パネル６の右端が取り付けられている。
【００４３】
また、第三の支柱１０の場合には、図３に示すように上部右側挿入孔６６と下部右側挿入孔６８とに、右側面パネル５の上部横桟部５５の右端部５５ａと下端横桟部５７の右端部５７ａとがそれぞれ挿入されている。
【００４４】
さらに、図５に示すように第三の支柱１０の上部左側挿入孔６７と下部左側挿入孔６９とには、後面パネル７の上部横桟部５５の左端部５５ｂと下端横桟部５７の左端部５７ｂとがそれぞれ挿入されている。
【００４５】
そして、図３と図５に示すように、第三の支柱１０には右側面パネル５の右側部５３と後面パネル７の左側部５４とを第三の支柱１０に押さえつける押圧部８１、８１が上下に取り付けられており、以上の構成によって、第三の支柱１０には右側面パネル５の右端と後面パネル７の左端が取り付けられている。
【００４６】
また、第四の支柱１１の場合には、図４に示すように上部左側挿入孔６７と下部左側挿入孔６９とに、左側面パネル６の上部横桟部５５の左端部５５ｂと下端横桟部５７の左端部５７ｂとがそれぞれ挿入されている。
【００４７】
さらに、図５に示すように第四の支柱１１の上部右側挿入孔６６と下部右側挿入孔６８とには、後面パネル７の上部横桟部５５の右端部５５ａと下端横桟部５７の右端部５７ａとがそれぞれ挿入されている。
【００４８】
そして、図４と図５に示すように、第四の支柱１１には左側面パネル６の左側部５４と後面パネル７の右側部５３とを第四の支柱１１に押さえつける押圧部８１、８１が上下に取り付けられており、以上の構成によって、第四の支柱１１には左側面パネル６の左端と後面パネル７の右端が取り付けられている。
【００４９】
したがって、本実施の形態のストーブガード１は、各支柱８〜１１の内面６２の右側面６４の挿入孔６６、６８と左側面６５の挿入孔６７、６９とに、隣接する両パネルの上部横桟部５５と下端横桟部５７の一方側の端部５５ａと５７ａ、５５ｂと５７ｂとがそれぞれ挿入されることにより、図１にも示すように、前面パネル４と右側面パネル５が第一の支柱８に、前面パネル４と左側面パネル６が第二の支柱９に、右側面パネル５と後面パネル７が第三の支柱１０に、左側面パネル６と後面パネル７が第四の支柱１１にそれぞれ連結されている。
【００５０】
このため、各パネル４〜７がぐらついたり動いたりするのを抑えることができる。よって、パネルの設置状態における安定性を向上させることができる。これにより、ストーブガード１は各支柱８〜１１によって立設した状態となるため、各パネル４〜７に子供がつかまって少し力をいれても、ぐらついたり動いたりするのを抑えることができる。
【００５１】
したがって、ストーブガード１の設置状態における安定性を向上させることができる。また、この結果、火傷をしてしまうおそれもなくなるので、ストーブガード１の機能の低下を抑えることができる。
【００５２】
また、各支柱８〜１１が隣接する両パネルを連結させる連結部材となることから、各支柱８〜１１は連結機能と脚部機能の双方を兼ね備えていることになり、脚部を別に設ける必要がなくなるので、部品点数が少なくて済み、ストーブガードの量産性の向上を図ることができる。
【００５３】
しかも、各支柱８〜１１は木製であるため、連結部材が金具のような金属製である場合に比べて、ストーブガード１が金属で占められる部分を少なくすることができ、木材特有の暖かいイメージを周囲に与えることができる。よって、周囲に冷たいイメージを与えるのを抑えることができるとともに、インテリアとしての効果も得ることができる。
【００５４】
また、本実施の形態では、各支柱８〜１１を木製のものとしたが、プラスチック製や、セラミック製等の金属以外の材料で製造した場合でも、ストーブガード１が金属で占められる部分を少なくすることができ、金属に比べて各材料特有の暖かいイメージを周囲に与えることができる。
【００５５】
さらに、各支柱８〜１１の表面を木製やプラスチック製にして中身を鉄製とした場合や、各支柱８〜１１の表面を木製にして中身をプラスチック製にした場合であっても、本実施の形態と同様の効果を得ることができる。
【００５６】
また、本実施の形態のストーブガード１には、全ての隣接する両パネルの間に第一の支柱８〜第四の支柱１１をそれぞれ配置させたが、前面パネル４と両側面パネル５、６の間にだけ配置しても良いし、少なくとも第一の支柱８〜第四の支柱１１の内、一本の支柱が隣接する両パネルの間に配置されていれば良い。
【００５７】
これらの場合でも、連結部材の少なくとも一つが木製やプラスチック製等の支柱となるため、全ての連結部材が金具のような金属製である場合に比べて、ストーブガード１が金属で占められる部分を少なくすることができ、金属に比べて暖かいイメージを周囲に与えることができる。
【００５８】
さらに、各パネル４〜７を鉄製のものとしたが、これに限定されることはなく支柱と同様に木製やプラスチック製にしても良い。この場合には、ストーブガード１が金属で占められる部分がさらに少なくなり、金属に比べて暖かいイメージを周囲に強く与えることができる。
【００５９】
また、前面パネル４は、各押圧部８１により、右端が第一の支柱８に、左端が第二の支柱９にそれぞれ押さえつけられた状態になるため、前面パネル４を第一の支柱８と第二の支柱９とに固定させることができる。
【００６０】
また、右側面パネル５は、各押圧部８１により、右端が第三の支柱１０に、左端が第一の支柱８にそれぞれ押さえつけられた状態になるため、右側面パネル５を第一の支柱８と第三の支柱１０とに固定させることができる。
【００６１】
また、左側面パネル６は、各押圧部８１により、右端が第二の支柱９に、左端が第四の支柱１１にそれぞれ押さえつけられた状態になるため、左側面パネル６を第二の支柱９と第四の支柱１１とに固定させることができる。
【００６２】
また、後面パネル７は、各押圧部８１により、右端が第四の支柱１１に、左端が第三の支柱１０にそれぞれ押さえつけられた状態となるため、後面パネル７を第三の支柱１０と第四の支柱１１とに固定させることができる。
【００６３】
したがって、各支柱４〜７の挿入孔６６〜６９から各パネル４〜７の上部横桟部５５の両端部５５ａ、５５ｂや下端横桟部５７の両端部５７ａ、５７ｂが抜けてパネルが支柱から外れたり、上部横桟部５５の両端部５５ａ、５５ｂや下端横桟部５７の両端部５７ａ、５７ｂの挿入位置がずれてパネルが所定の位置から曲がったりするのを防ぐことができる。よって、ストーブガード１の設置状態における安定性をさらに向上させることができる。
【００６４】
また、本実施の形態では、各パネル４〜７を外枠５１と、横桟部５５〜５７や縦桟部５８等の複数の線材から形成したが、これに限定されることはなく、例えば一枚板から形成しても良い。この場合には、一枚板に延出部と延在部をそれぞれ設けることにより本実施の形態と同様の効果を得ることができる。
【００６５】
また、第１の実施の形態では、ストーブガード本体３を四角形状にするために各支柱８〜１１の上部及び下部における両挿入孔間の角度が直角になるように形成していたが、両挿入孔間の角度は直角に限定されることはなく、第２の実施の形態として図１０の第一の支柱１０１に示すように、両挿入孔１０２、１０３を、両挿入孔１０２、１０３間の角度が鈍角、または鋭角になるように形成しても良い。これにより、ストーブガード本体の形状を自由に設定することが可能になるため、形状の豊富化を図ることができる。
【００６６】
また、第３の実施の形態として図１１に示すように、第一の支柱１１１に隣接する前面パネル１２１と右側面パネル１３１において、一方のパネル１３１には、このパネル１３１の延出部１３２を第一の支柱１１１の挿入孔１１２に挿入した状態で第一の支柱１１１に沿って延在する延在部１３３が設けられている。
【００６７】
そして、この延在部１３３を第一の支柱１１１に押さえつける押圧部１４１がねじ１５１で着脱可能に取り付けられており、他方のパネル１２１の延出部１２２が第一の支柱１１１の挿入孔１１３に挿入した状態で接着されている。
【００６８】
この場合には、第一の支柱１１１に隣接する両パネル１２１、１３１の内、前面パネル１２１が第一の支柱１１１に固定された状態になるため、押圧部１４１を容易に着脱することが可能となり、右側面パネル１３１の着脱作業を容易に行うことができる。したがって、支柱に隣接する両パネルに対して本実施の形態のような構成を適用することによりパネルの着脱作業を容易に行うことができる。
【００６９】
また、第４の実施の形態として図１２に示すように、右側面パネル１３１の延在部１３３を第一の支柱１１１に押さえつける押圧部１６１は、その中間部１６２がピン１７１によって第一の支柱に支持されている。そして、押圧部１６１の一端部１６３は、第一の支柱１１１から外方に湾曲した形状であって、その内側１６４を右側面パネル１３１の延在部１３３に当接させている。
【００７０】
一方、押圧部１６１の他端部１６５は、第一の支柱１１１から外方に湾曲して形成されており、その先端部分が第一の支柱１１１に本発明の付勢部材であるばね１８１で取り付けられている。
【００７１】
そして、このばね１８１により一端部１６３が延在部１３３を第一の支柱１１１に押さえつけるようになっており、押圧部１６１の他端部１６５を第一の支柱１１１に向かって押すことにより、押圧部１６１の中間部１６２を支点として一端部１６３が延在部１３３から外れるように設定されている。
【００７２】
このため、第一の支柱１１１から右側面パネル１３１を取り外す際には、押圧部１６１の他端部１６５を第一の支柱１１１支柱に向かって押すだけで、第一の支柱１１１の挿入孔１１２から右側面パネル１３１の延出部１３２を抜き出す作業を容易に行うことができる。
【００７３】
また、第一の支柱１１１に右側面パネル１３１を取り付ける際にも、押圧部１６１の他端部１６５を第一の支柱１１１に向かって押すだけで、押圧部１６１の一端部１６３が予め延在部１３３から外れた状態に位置されるため、延在部１３３を第一の支柱１１１と一端部１６３との間に容易に位置させることができる。
【００７４】
よって、本実施の形態では、第一の支柱１１１に押圧部をねじで着脱自在に取り付けた場合に比べて、ねじを緩めたり締めたりする面倒な作業がなくなるので右側面パネル１３１の着脱作業をさらに容易に行うことができる。このように、支柱に隣接する両パネルに対して本実施の形態のような構成を適用すれば、パネルの着脱作業をさらに容易に行うことができる。
【００７５】
また、支柱の形状は、図１０に示すような四角形状や、図１１と図１２に示すような台形状であっても良く、特に限定されない。また、各実施の形態とも、延在部をパネルの内側に設けていたが、パネルの外側に設けても良い。
【００７６】
また、各実施の形態とも、延在部と押圧部がストーブガードの構成部材となっているが、少なくとも、本発明のストーブガードにおいては、パネルは延出部を有し、支柱は挿入孔を有した構成であれば、ぐらついたり動いたりするのを抑えることができるので、設置状態における安定性を向上させることができる。
【００７７】
図１３は、本発明の第５の実施の形態を示す花台２０１の斜視図である。この花台２０１は、本体２０２の四隅に立設する複数の支柱２０３〜２０６と、本体２０２の前面を除いて各支柱２０３〜２０６の間にそれぞれ配置され、本体２０２の左右側面を形成する左右側面パネル２０７、２０８及び本体２０２の後面を形成する後面パネル２０９と、両側面パネル２０７、２０８に架設された棚板２１０、２１０とから構成されている。
【００７８】
各支柱２０３〜２０６は天然木から製造されている。また、本体２０２の前側において左右に立設する右側短支柱２０３及び左側支柱２０４は、図１４と図１５にそれぞれ示すように、外面２１１が曲面であって内面２１２が多角面である略四分円柱状となっており、内面２１２は中央面２１３と右側面２１４と左側面２１５とから構成されている。内面２１２において、中央面２１３の上部と下部とには、上部凹部２１６と下部凹部２１７が形成されており、各凹部２１６、２１７にはねじ穴２１８がそれぞれ形成されている。
【００７９】
さらに、右側短支柱２０３の内面２１２には、後方側に向いた左側面２１５において上部凹部２１６より上部と下部凹部２１７より下部とに、上部差し込み穴２１９と下部差し込み穴２２０がそれぞれ形成されている。
【００８０】
また、左側短支柱２０４の内面２１２には、後方側に向いた右側面２１５において上部凹部２１６より上部と下部凹部２１７より下部とに、上部差し込み穴２１９と下部差し込み穴２２０がそれぞれ形成されている。
【００８１】
また、両短支柱２０３、２０４の底部には、ゴム足２０３ａ、２０４ａがそれぞれ設けられており、これらゴム足２０３ａ、２０４ａによって花台２０１の滑りを防止している。
【００８２】
また、本体２０２の後側で左右に立設する右側長支柱２０５及び左側長支柱２０６は、図１６や図１７に示すように、外面２２１が曲面であって内面２２２が多角面である略四分円柱状となっており、内面２２２は中央面２２３と右側面２２４と左側面２２５とから構成されている。
【００８３】
また、左側長支柱２０６を例にして図１６に示すように、内面２２２において、中央面２２３の上部と下部とには、上部凹部２２６と下部凹部２２７が形成されており、各凹部２２６、２２７にはねじ穴２２８がそれぞれ形成されている。
【００８４】
また、両側面２２４、２２５において、上部凹部２２６の上部には上部右側挿入孔２２９と上部左側挿入孔２３０が、両挿入孔２２９、２３０間の角度が直角になるように形成されており、下部凹部２２７の下部には下部右側挿入孔２３１と下部左側挿入孔２３２が、両挿入孔間２３１、２３２の角度が直角になるように形成されている。
【００８５】
一方、前記各パネル２０７〜２０９はスチール製であって、エポキシ粉体塗装されている。図１４や図１５に示すように、左右側面パネル２０７、２０８は外枠２４１を中心にして構成されている。この外枠２４１は、下方へ開口しており、後方から前方に向かって下る流線状の上側部２４２と、上側部２４２の前後端から下方にそれぞれ延出した前側部２４３と後側部２４４とから構成されており、後側部２４４が本発明の延在部となっている。
【００８６】
外枠２４１の両前後側部２４３、２４４には、外枠２４１の上側部２４２と平行に延在する流線状の上部横桟部２４５が外側から架設されており、上側部２４２と上部横桟部２４５の間には、両側面パネル２０７、２０８を装飾するために曲線部材２４６が取り付けられている。
【００８７】
また、外枠２４１の両前後側部２４３、２４４の中部と下端には、棒状の中部横桟部２４７と下端横桟部２４８がそれぞれ外側から架設されている。中部横桟部２４７及び下端横桟部２４８は、前端部２４９が両短支柱２０３、２０４に向かって延出している。また、中部横桟部２４７及び下端横桟部２４８の後端部２５０は図１６に示すように両長支柱２０６、２０７に向かって延出しており、本発明の延出部となっている。
【００８８】
また、中部横桟部２４７と下端横桟部２４８の中央部には上下方向に延在する棒状の縦桟部２５１が外側から架設されており、この縦桟部２５１によって中部横桟部２４７と下端横桟部２４８が補強されている。
【００８９】
また、後面パネル２０９は、図１６に示すように外枠２５１を中心にして構成されている。この外枠２５１は、下方に開口したコ字状であり、左右方向に延在する上側部２５２と、上側部２５２の左右端からそれぞれ下方に延出し、本発明の延在部である右側部２５３と左側部２５４とから構成されている。
【００９０】
外枠２５１の左右側部２５３、２５４の中部と下端には、棒状の中部横桟部２５５と下端横桟部２５６がそれぞれ外側から架設されている。中部横桟部２５５及び下端横桟部２５６は、右端部２５７（図１７参照）と左端部２５８が、それぞれ右側長支柱２０５と左側長支柱２０６に向かってそれぞれ延出しており、本発明の延出部となっている。
【００９１】
さらに、外枠２５１には、山形線材２５９が、上側部２５２と中部横桟部２５５と下端横桟部２５６とに対して内側から架設されており、この山形線材２５９によって後面パネル２０９が補強されている。
【００９２】
そして、各パネル２０７〜２０９は、図１４に示すように、右側面パネル２０７において中部横桟部２４７と下端横桟部２４８の前端部２４９が、右側短支柱２０３の上部差し込み穴２１９と下部差し込み穴２２０にそれぞれ挿入されて、図１８に示すように右側面パネル２０７の前側部２４３が右側短支柱２０３の左側面２１５に当接し、さらに、前部ジョイントパーツ２６０、２６０が、右側面パネル２０７を右側短支柱２０３に押さえつけて内面２１２の上部と下部に取り付けられている。
【００９３】
また、左側面パネル２０８は、図１５に示すように中部横桟部２４７と下端横桟部２４８の前端部２４９が、左側短支柱２０４の上部差し込み穴２１９と下部差し込み穴２２０にそれぞれ挿入され、図１８に示すように左側面パネル２０８の前側部２４３が左側短支柱２０４の右側面２１４に当接し、さらに前部ジョイントパーツ２６０、２６０が、左側面パネル２０８を左側短支柱２０４に押さえつけて内面２１２の上部と下部に取り付けられている。
【００９４】
前部ジョイントパーツ２６０は、各短支柱２０３、２０４の各凹部２１６、２１７（図１４、１５参照）に当接する平板部２６１と、平板部２６１の外側で内側に湾曲形成され、各側面パネル２０７、２０８の前側部２４３を外側から各短支柱２０３、２０４に押さえつける湾曲部２６２とから構成されている。
【００９５】
平板部２６１には各凹部２１６、２１７のねじ穴２１８（図１４、１５参照）と同型の貫通孔（図示せず）が形成されており、この貫通孔を介してねじ穴２１８にねじ２６３がはめ込まれている。この結果、図１３に示すように、右側面パネル２０７と左側面パネル２０７の前端が、右側短支柱２０３と左側短支柱２０４とにそれぞれ取り付けられている。
【００９６】
また、図１６に示すように、左側面パネル２０８の中部横桟部２４７と下端横桟部２４８の後端部２５０が、左側長支柱２０６の上部左側挿入孔２３０と下部左側挿入孔２３２にそれぞれ挿入されて、左側面パネル２０８の後側部２４４が左側長支柱２０６の左側面２２５に当接している。
【００９７】
また、後面パネル２０９の中部横桟部２５５と下端横桟部２５６の左端部２５８が、左側長支柱２０６の上部右側挿入孔２２９と下部右側側挿入孔２３１にそれぞれ挿入されて、後面パネル２０９の左側部２５４が左側長支柱２０６の右側面２２４に当接している。
【００９８】
そして、図１３に示すように、本発明の押圧部である後部ジョイントパーツ２７０、２７０が、隣接する両パネル２０８、２０９を左側長支柱２０６に押さえつけて内面２２２の上部と下部（下部のみ図示）に取り付けられている。
【００９９】
また、図１６や図１７に示すように、右側面パネル２０７の中部横桟部２４７と下端横桟部２４８の後端部２５０が、右側長支柱２０５の上部左側挿入孔と下部左側挿入孔（図示せず）にそれぞれ挿入されて、右側面パネル２０７の後側部２４４が右側支柱２０５の右側面２２４に当接している。
【０１００】
また、後面パネル２０９の中部横桟部２５５と下端横桟部２５６の右端部２５７が右側長支柱２０５の上部右側挿入孔と下部右側側挿入孔（図示せず）にそれぞれ挿入されて、後面パネル２０９の左側部２５３が右側支柱２０５の左側面２２５に当接している。
【０１０１】
そして、本発明の押圧部である後部ジョイントパーツ２７０、２７０が隣接する両パネル２０７、２０９を右側長支柱２０５に押さえつけて内面２２２の上部と下部に取り付けられている。
【０１０２】
後部ジョイントパーツ２７０は、各長支柱２０５、２０６の各凹部２２６、２２７（図１６参照）に当接する平板部２７１と、平板部２７１の両側で内側に湾曲形成され、右側面パネル２０７の後側部２４４と後面パネル２０９の右側部２５３、左側面パネル２０８の後側部２４４と後面パネル２０９の左側部２５４をそれぞれ外側から各長支柱２０５、２０６に押さえつける湾曲部２７２、２７２とから構成されている。
【０１０３】
平板部２７１には各凹部２２６、２２７のねじ穴２２８（図１６参照）と同型の貫通孔（図示せず）が形成されており、この貫通孔を介してねじ穴２２８にねじ２７３がはめ込まれている。この結果、図１３に示すように、右側面パネル２０７の後端と後面パネル２０９の右端が右側長支柱２０５に取り付けられ、左側面パネル２０８の後端と後面パネル２０９の左端が左側支柱２０６に取り付けられている。
【０１０４】
また、前記棚板２１０、２１０は、図１３に示したように格子状であって、両側面パネル２０７、２０８の中部横桟部２４７と下端横桟部２４８とにそれぞれ架設されることにより本体２０２内において上段と下段とに位置し、花瓶や植木鉢が載置されるようになっている。
【０１０５】
かかる構成においては、右側面パネル２０７と後面パネル２０９とが右側長支柱２０５によって連結され、左側面パネル２０８と後面パネル２０９とが左側長支柱２０６によって連結されるため、各パネルが２０７〜２０９がぐらついたり動いたりするのを抑えることができる。よって、パネルの設置状態における安定性を向上させることができる。
【０１０６】
さらに、右側面パネル２０７と左側面パネル２０８が、両短支柱２０３、２０４にそれぞれ取り付けられていることから、花台２０１は各支柱２０３〜２０６によって立設した状態となるため、子供がつかまって少し力をいれても、ぐらついたり動いたりするのを抑えることができる。
【０１０７】
したがって、花台２０１の設置状態における安定性を向上させることができる。また、この結果、棚板２１０、２１０に載せた花瓶や植木が落下して怪我をするおそれもなくなるので、花台２０１の機能の低下を抑えることができる。
【０１０８】
また、両長支柱２０５、２０６は、隣接する両パネル（右側面パネル２０７と後面パネル２０９、左側面パネル２０８と後面パネル２０９）を連結させる連結部材となることから、連結機能と脚部機能の双方を兼ね備えていることになり、脚部を別に設ける必要がなくなるので、部品点数が少なくて済み、花台２０１の量産性の向上を図ることができる。
【０１０９】
また、各支柱２０３〜２０６は木製であるため、連結部材が金具のような金属製である場合に比べて花台２０１が金属で占められる部分を少なくすることができ、木材特有の暖かいイメージを周囲に与えることができる。よって、周囲に冷たいイメージを与えるのを抑え、インテリアとしての効果も得ることができる。
【０１１０】
また、本実施の形態においても、各支柱２０３〜２０６を、プラスチック製やセラミック製等の金属以外の材料で製造した場合でも、花台２０１が金属で占められる部分を少なくすることができるので、金属に比べて各材料特有の暖かいイメージを周囲に与えることができる。
【０１１１】
さらに、各支柱２０３〜２０６の表面を木製やプラスチック製にして中身を鉄製とした場合や、各支柱２０３〜２０６の表面を木製にして中身をプラスチック製にした場合であっても、本実施の形態と同様の効果を得ることができる。
【０１１２】
また、本実施の形態の花台２０１における支柱構造においては、隣接する両パネル（右側面パネル２０７と後面パネル２０９、左側面パネル２０８と後面パネル２０９）の間に長支柱２０５、２０６をそれぞれ配置させたが、少なくとも一方の側面パネルと後面パネル２０９との間に支柱が配置されていれば良い。
【０１１３】
これらの場合でも、連結部材の少なくとも一つが木製やプラスチック製等の支柱となるため、全ての連結部材が金具のような金属製である場合に比べて、花台２０１が金属で占められる部分を少なくすることができ、金属に比べて暖かいイメージを周囲に与えることができる。
【０１１４】
さらに、各パネル２０７〜２０９をスチール製のものとしたが、これに限定されることはなく各支柱２０３〜２０６と同様に木製や、またはプラスチック製にしても良い。この場合には、花台２０１が金属で占められる部分がさらに少なくなり、金属に比べて暖かいイメージを周囲に強く与えることができる。
【０１１５】
また、右側面パネル２０７の後端と後面パネル２０９の右端、左側面パネル２０８の後端と後面パネル２０９の左端は、それぞれ後部ジョイントパーツ２７０によって右側長支柱２０５と左側長支柱２０６とにそれぞれ押さえつけられた状態となる。このため、両側面パネル２０７、２０８を右側長支柱２０５と左側長支柱２０６にそれぞれ固定させることができ、また後面パネル２０９を両長支柱２０５、２０６に固定させることができる。
【０１１６】
よって、各パネル２０７〜２０９が両長支柱２０５、２０６から外れたり、所定の位置から曲がったりしてしまうのを防ぐことができるので、パネルの設置状態における安定性をさらに向上させることができる。
【０１１７】
さらに、両側面パネル２０７、２０８の前端も、前部ジョイントパーツ２６０により右側短支柱２０３と左側短支柱２０４とにそれぞれ押さえつけられた状態となるため、両側面パネル２０７、２０８を各短支柱２０３、２０４にそれぞれ固定させることができる。したがって、花台２０１の設置状態における安定性をさらに向上させることができる。
【０１１８】
また、本発明の延在部である両側面パネル２０７、２０８の後側部２４４と、押圧部である後部ジョイントパーツ２７０が花台２０１の構成部材となっているが、少なくとも、両側面パネル２０７、２０８及び後面パネル２０９がそれぞれ後端部２５０及び左右端部２５７、２５８を有し、両長支柱２０５、２０６が挿入孔２２９〜２３２を有していれば、各パネル２０７〜２０９がぐらついたり動いたりするのを抑えることができるので、パネルの設置状態における安定性を向上させることができる。
【０１１９】
また、第１の実施の形態と同様に、各パネル２０７〜２０９を複数の線材から形成したが、これに限定されることはなく、例えば一枚板から形成しても良い。この場合には、一枚板に延出部と延在部をそれぞれ設けることにより本実施の形態と同様の効果を得ることができる。
【０１２０】
また、本実施の形態の花台２０１においても、隣接する両パネル（右側面パネル２０７と後面パネル２０９、左側面パネル２０８と後面パネル２０９）と、この両パネルの間に配置される長支柱２０５、２０６とからなる支柱構造に対し、図１０〜１２で示した構成を適用しても良く、第１の実施の形態のストーブガード１に適用した場合と同様の効果を得ることができる。
【０１２１】
なお、本実施の形態で説明した花台２０１の他に、図１９に示すように、両側面パネル３０３、３０４に棚板３１０が上下方向に三段に配置されて架設された花台３０１や、図２０に示すように幅寸法が狭い花台４０１においても、隣接する両パネル（後面パネル３０２、４０２と右側面パネル３０３、４０３、後面パネル３０２、４０２と左側面パネル３０４、４０４）と、両パネルの間に配置される支柱３０５、４０５に対し、本発明の支持構造を適用することによって本実施の形態と同様の効果を得ることができる。
【０１２２】
また、本発明の支持構造は、第１の実施の形態で説明したストーブガード１や第５の実施の形態で説明した花台２０１に限定されることはなく、他の物品に適用しても良い。
【０１２３】
【発明の効果】
以上説明したように本発明の請求項１記載の支柱構造においては、隣接する両パネルが支柱によって連結されるため、各パネルがぐらついたり動いたりするのを抑えることができる。よって、パネルの設置状態における安定性を向上させることができる。
また、押圧部によりパネルが支柱に押さえつけられた状態となるため、パネルを支柱に固定させることができる。よって、パネルが支柱から外れたり、所定の位置から曲がったりしてしまうのを防ぐことができる。したがって、パネルの設置状態における安定性をさらに向上させることができる。
【０１２６】
また、請求項２記載の支柱構造においては、支柱に隣接する両パネルの内、他方のパネルが支柱に固定された状態になるため、押圧部を容易に着脱することが可能になる。よって、パネルの着脱作業を容易に行うことができる。
【０１２７】
また、請求項３記載の支柱構造においては、支柱からパネルを取り外す際には、押圧部の他端部を支柱に向かって押すだけで押圧部の一端部が延在部から外れるので、支柱の挿入孔からパネルの延出部を抜く作業が容易になる。よって、パネルの着脱作業をさらに容易に行うことができる。
また、請求項４記載の支柱構造においては、支柱が隣接する両パネルを連結させる連結部材であって木製であるため、連結部材が金属製である場合に比べて、木材特有の暖かいイメージを周囲に与えることができる。
【０１２８】
また、請求項５記載のストーブガードにおいては、請求項１から４の各請求項の作用が得られるため、各請求項の効果と同じ効果を得ることができる。
【０１２９】
また、請求項６記載の花台においても、請求項５記載のストーブガードと同様に請求項１から４の各請求項の作用が得られるため、各請求項の効果と同じ効果を得ることができる。
【図面の簡単な説明】
【図１】本発明の第１の実施の形態を示すストーブガードの斜視図である。
【図２】ストーブガードの正面図である。
【図３】ストーブガードの右側面図である。
【図４】ストーブガードの左側面図である。
【図５】ストーブガードの背面図である。
【図６】第一の支柱の正面図である。
【図７】図２のＡ−Ａ線に沿う断面図である。
【図８】図２のＢ−Ｂ線に沿う断面図である。
【図９】図２のＣ−Ｃ線に沿う断面図である。
【図１０】本発明の第２の実施の形態を示すパネルの連結部分の平面図である。
【図１１】本発明の第３の実施の形態を示すパネルの連結部分の平面図である。
【図１２】本発明の第４の実施の形態を示すパネルの連結部分の平面図である。
【図１３】本発明の第５の実施の形態を示す花台の斜視図である。
【図１４】右側面パネルと右側短支柱の斜視図である。
【図１５】左側面パネルと左側短支柱の斜視図である。
【図１６】左側面パネルと後面パネルの連結構造を示す分解斜視図である。
【図１７】右側面パネルと後面パネルの連結状態を示す斜視図である。
【図１８】右側面パネルと右側短支柱の連結状態、左側面パネルと左側短支柱の連結状態を示す斜視図である。
【図１９】他の実施の形態の形態を示す花台の斜視図である。
【図２０】他の実施の形態の形態を示す花台の斜視図である。
【符号の説明】
１    ストーブガード
２    ストーブ
４    前面パネル
５    右側面パネル
６    左側面パネル
７    後面パネル
８    第一の支柱
９    第二の支柱
１０    第三の支柱
１１    第四の支柱
５３    右側部
５４    左側部
５５ａ  右端部
５５ｂ  左端部
５７ａ  右端部
５７ｂ  左端部
６６    上部右側挿入孔
６７    上部左側挿入孔
６８    下部右側挿入孔
６９    下部左側挿入孔
８１    押圧部
１０１  第一の支柱
１０２  挿入孔
１０３  挿入孔
１１１  第一の支柱
１１２  挿入孔
１１３  挿入孔
１２１  前面パネル
１２２  延出部
１３１  右側面パネル
１３２  延出部
１３３  延在部
１４１  押圧部
１６１  押圧部
１６２  中間部
１６３  一端部
１６５  他端部
１８１  ばね
２０１  花台
２０５  右側長支柱
２０６  左側短支柱
２０７  右側面パネル
２０８  左側面パネル
２０９  後面パネル
２２９  上部右側挿入孔
２３０  上部左側挿入孔
２３１  下部右側挿入孔
２３２  下部左側挿入孔
２４４  後側部
２５０  後端部
２５３  右側部
２５４  左側部
２５８  左端部
２５７  右端部
２７０  後部ジョイントパーツ
【図１】
0004169918.tif 000002
【図２】
0004169918.tif 000003
【図３】
0004169918.tif 000004
【図４】
0004169918.tif 000005
【図５】
0004169918.tif 000006
【図６】
0004169918.tif 000007
【図７】
0004169918.tif 000008
【図８】
0004169918.tif 000009
【図９】
0004169918.tif 000010
【図１０】
0004169918.tif 000011
【図１１】
0004169918.tif 000012
【図１２】
0004169918.tif 000013
【図１３】
0004169918.tif 000014
【図１４】
0004169918.tif 000015
【図１５】
0004169918.tif 000016
【図１６】
0004169918.tif 000017
【図１７】
0004169918.tif 000018
【図１８】
0004169918.tif 000019
【図１９】
0004169918.tif 000020
【図２０】
0004169918.tif 000021